(57)【要約】【課題】非接触券Ｃに定期券の有効区間内の乗車に係るＳＦデータの減額処理が存在するとき、利用者に対してその旨を表示し、定期券の更新手続きを促す自動券売機を提供することを目的とする。【解決手段】  定期券データ及びＳＦデータの記録されているカードを処理する自動券売機において、前記カードに記録されているデータを読み取る読取手段と、前記読取手段により読み取られたデータに基づいてネットワークを介して接続された外部サーバへ照会を行い、定期券の有効期間外に当該定期券の有効区間の利用が有るか否かを判定する判定手段と、前記判定手段によって定期券の有効期間外に当該定期券の有効区間の利用が有ると判定されたとき、利用者に当該ＳＦデータの使用がされなされている旨を通知する通知手段と、を有することを特徴とする【選択図】  図２
2013008226.tif 000002
【特許請求の範囲】
【請求項１】
定期券データ及びＳＦデータの記録されているカードを処理する自動券売機において、
前記カードに記録されているデータを読み取る読取手段と、
前記読取手段により読み取られたデータに基づいてネットワークを介して接続された外部サーバへ照会を行い、定期券の有効期間外に当該定期券の有効区間の利用が有るか否かを判定する判定手段と、
前記判定手段によって定期券の有効期間外に当該定期券の有効区間の利用が有ると判定されたとき、利用者に当該ＳＦデータの使用がされなされている旨を通知する通知手段と、
を有することを特徴とする自動券売機。
【発明の詳細な説明】
【技術分野】
【０００１】
本発明は、自動券売機に関する。
【背景技術】
【０００２】
近年、チャージ機能を有する非接触ＩＣカード（以下、ＩＣカードと称する。）を定期券として利用することが可能になってきた。このような定期券として利用する場合の有効期間切れの通知方法に関して、以下に示す通知方法が知られている。
【０００３】
第１の方法は、定期券の有効期間切れ前に有効期間切れの日又は警告を、利用する自動改札機に表示する方法である。
【０００４】
第２の方法は、定期券の有効期間切れの場合の処理方法としてＳＦ（Ｓｔｏｒｅｄ  Ｆａｒｅ）データから減額するかどうかを設定する制限情報をＩＣカードに記録しておき、定期券の有効期間切れの場合、当該制限情報を判別し、制限情報が含まれている場合には、通行を阻止する方法である（例えば、特許文献１参照。）。
【０００５】
第３の方法は、ＩＣカードのＳＦデータが、乗車の際の最低料金を下回ったとき、或いは定期券として有効期間が所定の日数を下回ったとき、予め登録したアドレス端末装置にその旨を送信する方法である（例えば、特許文献２参照。）。
【先行技術文献】
【特許文献】
【０００６】
【特許文献１】特開２００４−２１８０３号
【特許文献２】特開２００５−２４２９３９号
【発明の概要】
【発明が解決しようとする課題】
【０００７】
しかしながら、上述した第１の方法は、利用客が警報に気がつかずに利用した結果、有効期間が過ぎてしまい、通行が阻止されてしますという課題がある。
【０００８】
また、第２の方法は、制限情報が含まれている場合、チャージから減額されないために有効期間切れの場合、第１の方法同様に通行が阻止されるという課題がある。
【０００９】
さらにまた、第３の方法は、ＩＣカードのＳＦデータが乗車の際の最低料金を下回ったときに端末装置に通知する方法である。この方法は、当該通知を受けたときにはＳＦデータが減額され、ＩＣカードのＳＦデータが低くなっているため、使い勝手が悪いという課題があった。
【課題を解決するための手段】
【００１０】
上記目的を達成する為に請求項１記載の自動券売機は、定期券データ及びＳＦデータの記録されているカードを処理する自動券売機において、前記カードに記録されているデータを読み取る読取手段と、前記読取手段により読み取られたデータに基づいてネットワークを介して接続された外部サーバへ照会を行い、定期券の有効期間外に当該定期券の有効区間の利用が有るか否かを判定する判定手段と、前記判定手段によって定期券の有効期間外に当該定期券の有効区間の利用が有ると判定されたとき、利用者に当該ＳＦデータの使用がされなされている旨を通知する通知手段と、を有することを特徴とする。
【図面の簡単な説明】
【００１１】
【図１】本発明の実施の形態１に係る駅務システムを説明するための図。
【図２】本発明の実施の形態１に係る駅務システムを説明するための図。
【図３】本発明の実施の形態１に係る駅務システムを説明するための図。
【発明を実施するための形態】
【００１２】
以下、図面を参照して本発明の実施の形態を説明する。
【００１３】
（実施の形態１）
図１、図２は、本発明の実施の形態１に係る駅務システムを説明するための図である。以下、図１、図２を参照して本実施の形態に係る駅務システムについて説明する。本実施の形態に係る駅務システムは、図１に示すように自動券売機２０、自動改札機Ｇ、サーバ３０を有して構成される。
【００１４】
自動券売機２０は、非接触ＩＣ（Ｉｎｔｅｇｒａｔｅｄ  Ｃｉｒｃｕｉｔ）カード（以下、非接触券と称する。）Ｃの発行、及び更新が可能で、必要に応じてＳＦカードの金額の積み増しや非接触券Ｃの内容の確認などを行うことが出来る。
【００１５】
非接触券Ｃには、非接触券Ｃを一意に特定するためのカードＩＤが記憶されている。
【００１６】
サーバ３０は、図３に示すように非接触ＩＣカードＣを識別するためのカードＩＤ、及びこのカードＩＤと紐づけて定期券の有効区間の情報など（以下、定期券情報とする。）を記憶している。これは、例えば、利用者が定期券を発券する際に、ネットワークを介して接続された定期券の発券端末からの情報をサーバ３０にて記憶する構成が考えられる。
【００１７】
図２に示すように自動券売機２０は、ＣＰＵ（Ｃｅｎｔｒａｌ  Ｐｒｏｃｅｓｓｉｎｇ  Ｕｎｉｔ）を中心に構成された制御部２１を有している。この制御部２１は、メモリ２２記憶されているシステムプログラム及びワーキングデータを用いて演算処理を行って、自動券売機２０を統括的に制御できるように構成されている。そして、この制御部２１には図示しないＩ／Ｏユニットを介して投入された金銭を検銭し、必要に応じて釣銭を放出する金銭処理ユニット２３と、表示画面の表示内容を駆動制御する表示画面駆動ユニット２４と、非接触券Ｃを処理するためのリーダライタ（トランスミッタ）２５と、自動券売機２０を集中的に管理するホストコンピュータからなるサーバ３０と通信するための通信制御部２６が接続されている。
【００１８】
リーダライタ２５には、非接触券Ｃと交信を行うためのアンテナａが接続されている。このアンテナａは、非接触券Ｃとデータ授受を行うためのアンテナａ１と、非接触券Ｃに電力を供給するためのアンテナａ２とを有している。
【００１９】
非接触券Ｃは、無線通信機能を有するＩＣカードと同様に、アンテナ１００と、通信制御部１０１と、ＣＰＵ１０２と、メモリ１０３と、電力波をアンテナ１０４を介して受信し、非接触券Ｃの駆動電力を生成する電力生成回路１０５を有している。メモリ１０３にはＣＰＵ１０２の演算処理用のシステムプログラムや、非接触券ＣのカードＩＤなどの所定のデータが記憶されている以外に、メモリ１０３の定期券データ記憶部１０３ａには、定期券の乗車区間等の所定の定期券データが記憶され、また、ＳＦデータ記憶部１０３ｂには、所定のＳＦデータが記憶されている。
【００２０】
以下、本実施の形態に係る自動券売機２０の処理動作を説明する。
【００２１】
今、利用者が非接触券Ｃのデータ（ＳＦデータ）の更新をしようとして、その非接触券Ｃがアンテナａの交信範囲内に置かれると、非接触券Ｃと自動券売機２０との間で交信が開始される。
【００２２】
非接触券Ｃと自動券売機２０との間の交信により、非接触券ＣのカードＩＤが自動券売機２０に読み取られる。そして、この読み取られたカードＩＤを基に、サーバ３０へ定期券情報の照会を行う。
【００２３】
この照会の結果、該当の非接触券Ｃの定期券の有効区間の利用が当該定期券の有効期間経過後に有る場合には、「定期券の有効期間が切れています。うっかり乗車にご注意ください」といった旨を表示画面２４ａに表示して利用者に対して通知を行う。
【００２４】
以上のように本実施の形態に係る自動券売機２０は、利用者が非接触券ＣにＳＦカードの金額の積み増しを行う際、非接触券Ｃ内に記憶されたカードＩＤを基にサーバ３０へ定期券情報の照会を行う。
【００２５】
この結果、定期券の有効期間経過後に当該定期券の有効区間の利用が有る場合には、当該利用者はうっかり乗車注意対象者として、注意を促すメッセージを表示し利用者に対する注意喚起を行う。
【００２６】
なお、この発明は、上述した実施の形態に限定されるものではなく、実施段階ではその要旨を逸脱しない範囲で構成要素を変形して具現化できる。また、上述の実施の形態に開示されている複数の構成要素の適宜な組み合わせにより、種々の発明を形成できる。例えば、実施の形態に示される全構成要素からいくつかの構成要素を削除しても良い。さらに異なる実施の形態にわたる構成要素を適宜組み合わせても良い。
【符号の説明】
【００２７】
Ｃ  非接触券
Ｇ  自動改札機
２０  自動券売機
２１  制御部
２２  メモリ
２３  金銭処理ユニット
２４  表示画面駆動ユニット
２４ａ  表示画面
２５  リーダライタ
２６  通信制御部
３０  サーバ
１０３  メモリ
１０３ａ  定期券データ記憶部
１０３ｂ  ＳＦデータ記憶部
１０５  電力生成回路
【図１】
2013008226.tif 000003
【図２】
2013008226.tif 000004
【図３】
2013008226.tif 000005